(57)【要約】比較的高いトラフィックレベル（ペタビット）の接続バスを介して複数の低いトラフィックレベル（５テラビット）のスイッチングノードを相互接続する通信システムは、各ノードに作動的に関連して、２つの部分より成るＴＤＭ光データ管理インターフェイスを有する。２つの部分のうち第１の部分は、その関連のノードからバスへのデータの伝送を行うタイムスロットリシーケンサより成り、２つの部分のうち第２の部分はバスからその関連のノードへのデータの伝送を行うタイムスロットに特有のコンバイナより成り、各ノード及びバスは独立のデータスケジューリングを有する。
2004525570.tif 000002
【特許請求の範囲】
【請求項１】
各ノードに作動的に関連して２つの部分より成るＴＤＭデータ管理インターフェイスを有する複数のスイッチングノードを接続バスを介して相互接続するための通信システムであって、
２つの部分のうちの第１の部分は、その関連のノードからバスへのデータの伝送を行うタイムスロットリシーケンサより成り、
２つの部分のうち第２の部分は、バスからその関連のノードへのデータの伝送を行うタイムスロットに特有のコンバイナより成り、
各ノードとバスは独立のデータスケジューリングを有し、スイッチングノードは接続バスよりも低いトラフィック伝送レベルで動作する通信システム。
【請求項２】
通信システムはＴＤＭ光システムであり、データはスイッチングノード、インターフェイス及びバスの間で光学的に伝送される請求項１の通信システム。
【請求項３】
各インターフェイスのタイムスロットリシーケンサは、その関連のスイッチングノードからデータを供給され、タイムスロットセレクタを介してバスに結合された光スプリッタと、時間遅延装置と、バスにデータを供給する光コンバイナとより成る前記請求項のうち任意の請求項の通信システム。
【請求項４】
各インターフェイスのタイムスロットに特有のコンバイナは、時間遅延装置と、タイムスロットセレクタと、光コンバイナとより成り、光コンバイナを介してその関連のスイッチングノードがバスからデータの供給を受ける前記請求項のうち任意の請求項の通信システム。
【請求項５】
各スイッチングノードは、関連のインターフェイスのタイムスロットリシーケンサに結合されたイングレスポートと、グレーティング手段及びタイムスロットセレクタを介してこの関連のインターフェイスのタイムスロットに特有のコンバイナに結合されたエグレスポートとを有する請求項４の通信システム。
【請求項６】
インターフェイスは、スイッチングノードとバスとの間で５テラビットの結合を行い、バスとスイッチングノードとの間でペタビットの結合を行うように構成されている前記請求項のうち任意の請求項の通信システム。
【請求項７】
各スイッチングノードは１２８Ｘ１２８のスイッチング網より成る前記請求項のうち任意の請求項の通信システム。
【請求項８】
添付図面を参照して実質的に説明した通信システム。
【発明の詳細な説明】
【０００１】
本発明は、通信システムに関し、さらに詳細には（非限定的ではあるが）、光ＴＤＭ（時間分割多重化）スイッチングコアを用いるかかるシステムに関する。
【０００２】
かかるスイッチングコアは、この道の専門家によく知られている。さらに、このスイッチングコアと共用する光バックプレーン及び／又は装置の動作は、係属中の英国特許出願２３５３１５７Ａ及び２３６２２８０Ａに記載されている。従って、ここでは、スイッチングコア及び光バックプレーンについての詳細な説明は不要であると考える。
【０００３】
英国出願２３６２２８０Ａに記載された装置の容量は、光バックプレーンのスループットにより制限される。通常、これは５テラビット／秒であるが、将来、さらに大きい容量のスイッチングコアが必要になると予想され、これは、５テラビット／秒のスイッチングノードを複数個相互接続して、任意のかかるノードのイングレスポートを他の任意のノードのエグレスポートへペタビット／秒のスタティックな光接続バスにより選択的に接続できるようにすると実現できる。本発明の重要な目的は、この特定の条件を満足する光相互接続システムを提供することにある。しかしながら、本発明は、通信システムにおいてより広範な用途を有することを理解されたい。
【０００４】
本発明によると、接続バスを介して複数のスイッチングノードを相互接続するための通信システムは、各ノードに作動的に関連して２つの部分より成るＴＤＭデータ管理インターフェイスを有し、２つの部分のうちの第１の部分は、その関連のノードからバスへのデータの伝送を行うタイムスロットリシーケンサより成り、２つの部分のうち第２の部分は、バスからその関連のノードへのデータの伝送を行うタイムスロットに特有のコンバイナより成り、各ノードとバスは独立のデータスケジューリングを有し、スイッチングノードは接続バスよりも低いトラフィック伝送レベルで動作する。
【０００５】
通信システムはＴＤＭ光システムであり、データはスイッチングノード、インターフェイス及びバスの間で光学的に伝送される。
【０００６】
各インターフェイスのタイムスロットリシーケンサは、その関連のスイッチングノードからデータを供給され、タイムスロットセレクタを介してバスに結合された光スプリッタと、時間遅延装置と、バスにデータを供給する光コンバイナとより成る。
【０００７】
各インターフェイスのタイムスロットに特有のコンバイナは、時間遅延装置と、タイムスロットセレクタと、光コンバイナとより成り、光コンバイナを介してその関連のスイッチングノードがバスからデータの供給を受ける。
【０００８】
システムの各スイッチングノードは、関連のインターフェイスのタイムスロットリシーケンサに結合されたイングレスポートと、グレーティング手段及びタイムスロットセレクタを介してこの関連のインターフェイスのタイムスロットに特有のコンバイナに結合されたエグレスポートとを有する。
【０００９】
インターフェイスは、スイッチングノードとバスとの間で５テラビットの結合を行い、バスとスイッチングノードとの間でペタビットの結合を行うように構成されている。
【００１０】
各スイッチングノードは、１２８Ｘ１２８のスイッチング網より成る。
【００１１】
本発明の１つの実施例を、スイッチングノード相互接続システムを示す幾分概略的なブロック図／流れ図である添付図面を参照して説明する。
【００１２】
添付図面を参照して、通信システムは、複数の５テラビットスイッチングノードより成る。説明を簡略にするため、かかるスイッチングノードをただ２個（１及び２）示す。各ノード１、２は、１２８Ｘ１２８の単一ノードスイッチング網より成る。ノード１は、出力ライン４に結合されたイングレスポート３と、各々がタイムスロットセレクタ７を介して入力ライン６に結合されたエグレスポート５と、光グレーティング８とより成る。スイッチング動作は、スケジューラ９により局部的に制御される。もう１つのノード２は、実質的に同一であって、出力ライン１１に結合されたイングレスポート１０及びタイムスロットセレクタ１４を介して入力ライン１３に結合されたエグレスポート１２及び光グレーティング１５より成り、スイッチング動作はスケジューラ１６により局部的に制御される。
【００１３】
ノード１の１個またはそれ以上のイングレスポート３を、それ自身のスケジューリングエンジン１８を有しクロスコネクト１７として実現可能な光バス装置を介して、他の任意のノードの任意のエグレスポート（例えば、ノード２のエグレスポート１２のうちの１つのような）に接続するために、各ノードについて同じようなペタビットの拡張ボックスより成る２レベルトラフィック管理インターフェイスが設けられる。この特定の実施例では、ノード１及び２に対してボックス１９及び２０がそれぞれ設けられている。
【００１４】
拡張ボックス１９は、ノード１へのまたはノード１からのトラフィックを取り扱い、５テラビットのレベルで動作してイングレスポート３をクロスコネクト１７に結合するタイムスロットリシーケンサ２１と、ペタビットのレベルで動作してクロスコネクト１７をエグレスポート５に結合するタイムスロットに特有のコンバイナ２２とより成る。
【００１５】
同様に、拡張ボックス２０は、ノード２へのまたはノード２からのトラフィックを取り扱い、５テラビットのレベルで動作してイングレスポート１０をクロスコネクト１７に結合するタイムスロットリシーケンサ２３と、ペタビットのレベルで動作してクロスコネクト１７をエグレスポート１２に結合するタイムスロットに特有のコンバイナ２４とより成る。
【００１６】
５テラビットのレベルで動作するタイムスロットリシーケンサ２１は、ライン４からデータの供給を受ける光スプリッタ２５と、タイムスロットセレクタ２６と、時間遅延手段２７と、クロスコネクト１７に結合された光コンバイナ２８とより成り、一方、ペタビットのレベルで動作するその関連のタイムスロットに特有のコンバイナ２２は、クロスコネクト１７からデータの供給を受ける時間遅延手段２９と、タイムスロットセレクタ３０と、ライン６に結合されて事実上データ拡張プロセスを逆にする光コンバイナ３１とより成る。
【００１７】
同様に、５テラビットのレベルで動作するタイムスロットリシーケンサ２３は、ライン１１からデータの供給を受ける光スプリッタ３２と、タイムスロットセレクタ３３と、時間遅延手段３４と、クロスコネクト１７に結合された光コンバイナ３５とより成り、一方、ペタビットのレベルで動作するその関連のタイムスロットに特有のコンバイナ２４は、クロスコネクト１７からデータの供給を受ける時間遅延手段３６と、タイムスロットセレクタ３７と、ライン１３に結合された光コンバイナ３８とより成る。
【００１８】
この例ではただ２つのノードを図示するが、いくつかのノードをそれぞれ、それ自身のペタビット拡張ボックスを介してクロスコネクト１７に同様に相互接続できることがわかるであろう。
【００１９】
動作について説明すると、上述したシステムは、２つのレベル、即ち、スイッチングノードの５テラビットレベルと、拡張ボックス１９、２０及びクロスコネクト１７より成る拡張システムのテラビットレベルの２つのレベルで走るアルゴリズムを利用し、各ノードはそれ自身のバックプレーンのスロット割り当てまたはスケジューリングの管理を担当する。このシステムは、拡張システムを介してリンクされる他のノードへ向けられるトラフィックに関する情報をその拡張システムへ送る。拡張システムが２つのノード間の接続を一旦開くと、ローカルノードは、何れのイングレスポートが外部ノードのエグレスポートと通信して、その情報を外部ノードのトラフィック管理システムへ送るかを選択する。
【００２０】
イングレスノードのバックプレーンについての情報を搬送するには、とのバックプレーンから取り出し、時間軸を移動させ、拡張バックプレーン上の新しいスロットに挿入しなければならない。これにより、トラフィックが外部ノードへ運ばれ、そこで再び取り出され、時間軸を移動され、拡張バックプレーン上の新しいスロットに挿入される。これは、事実上、図示のようにスプリッター、カップラー、遅延ライン／デバイスによりこのシステムにより構成される光時間／空間スイッチである。
【００２１】
上述したようなシステムは、タイムスロットリシーケンサーが１２８個のタイムスロットの各々について独立した遅延を与え、必要に応じて１２８個全てを出力するという利点を有する。動作については、タイムスロットに特有のコンバイナーは、５０ピコ／秒のスイッチング速度を有する１２８：１の光スイッチを提供する。スケジューリングにより内部と外部の間のタイムスロットの競合が解消され、トラフィック条件により大きさを固有に調整できることが分かる。
【図面の簡単な説明】
【００２２】
【図１】スイッチングノード相互接続システムの幾分概略的なブロック図／流れ図である。
【図１】
2004525570.tif 000003
【国際公開パンフレット】
2004525570.tif 000004
2004525570.tif 000005
2004525570.tif 000006
2004525570.tif 000007
2004525570.tif 000008
2004525570.tif 000009
2004525570.tif 000010
2004525570.tif 000011
2004525570.tif 000012
【国際公開パンフレット（コレクトバージョン）】
2004525570.tif 000013
2004525570.tif 000014
【国際調査報告】
2004525570.tif 000015
2004525570.tif 000016
2004525570.tif 000017
2004525570.tif 000018